【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
皮膚に適用される第１の面及び電極と協働する第２の面を備えた、イオン導入により有効成分を伝達する接着性高分子マトリックスであって、
複数の導電性領域と、
少なくとも１つの絶縁性領域とを備え、
各導電性領域は、絶縁性領域によって他の導電性領域から絶縁されていることを特徴とする。
【請求項２】
前記導電性領域は、伝達されるべき有効成分を少なくとも１つ有していることを特徴とする請求項１に記載のマトリックス。
【請求項３】
前記導電性領域は、電流を供給する電極と協働するように構成され、
各導電性領域の前記少なくとも１つの有効成分は、対応する領域と協働する前記電極の分極に応じて選択されることを特徴とする請求項１又は２に記載のマトリックス。
【請求項４】
前記複数の導電性領域は異なる有効成分を有していることを特徴とする請求項２又は３に記載のマトリックス。
【請求項５】
２つの導電性領域を分離させる前記少なくとも１つの絶縁性領域の最小幅が１ｍｍであることを特徴とする請求項１から４のいずれか一項に記載のマトリックス。
【請求項６】
前記導電性領域及び前記絶縁性領域は、前記マトリックスの全厚さに亘って延びることを特徴とする請求項１から５のいずれか一項に記載のマトリックス。
【請求項７】
少なくとも１つのポリマーと、少なくとも１つの接着剤と、少なくとも１つの可塑剤とを備えることを特徴とする請求項１から６のいずれか一項に記載のマトリックス。
【請求項８】
吸収促進剤を備えることを特徴とする請求項７に記載のマトリックス。
【請求項９】
少なくとも２つの電極と、前記電極に電気的に接続されたエネルギ源と、を備え、
請求項１から８のいずれか一項に記載の接着性高分子マトリックスを有することを特徴とする、イオン導入装置。
【請求項１０】
前記接着性高分子マトリックスの前記導電性領域が前記電極に接続されていることを特徴とする請求項９に記載の装置。
【手続補正２】
【補正対象書類名】明細書
【補正対象項目名】００１１
【補正方法】変更
【補正の内容】
【００１１】
先ず、本発明はイオン導入による有効物質の伝達のための接着性高分子マトリックスに関するものであって、該マトリックスは、皮膚に適用されるように構成された第１の面と、電極と協働するように構成された第２の面とを備える。また、該マトリックスは複数の導電性領域と、少なくとも１つの絶縁性領域とを備え、各導電性領域は絶縁性領域により他の導電性領域と電気的に絶縁される。
【手続補正３】
【補正対象書類名】明細書
【補正対象項目名】００４０
【補正方法】変更
【補正の内容】
【００４０】
好ましくは、導電性領域２は少なくとも１つの有効成分を含み、絶縁性領域３は有効成
分を一切含まない。
【手続補正４】
【補正対象書類名】明細書
【補正対象項目名】００４６
【補正方法】変更
【補正の内容】
【００４６】
例えば、電極５ａと協働するように構成された導電性領域２では、有効成分は疾患、症
状、又はこれらの有効成分が利用され得る徴候を示す以下のリストの中から選択される：
・ペニシリン
・スルホンアミド１０％：フルンケル
・ニコチン酸
・ヨウ化カリウム１〜３％：抗がん剤、血管緊張、抗関節症、神経緊張、線維素溶解（fibrolytic）、交感神経系の緊張、肥厚性瘢痕、動脈硬化、関節症、関節炎、拘縮のない半身麻痺による後遺症、末梢神経傷害
・ヨウ化ナトリウム１〜３％：硬化性・付着性の傷、ケロイド、関節の硬直、デュプイトラン（Dupuytren）拘縮
・サリチル酸ナトリウム１〜３％：抗リウマチ剤、鎮痛剤、抗浮腫、関節症、ＰＳＨ、神経痛、静脈周囲炎
・硫黄華
・１バイアル中ヒアルロニダーゼ１５０ｕ：拡散剤、抗浮腫、局所浮腫、胸水、リンパ管炎
・ヒドロコルチゾン１％：ステロイド系抗炎症剤、骨粗しょう症を伴わないリウマチ性炎症
・コハク酸プレドニゾロン１％：ステロイド系抗炎症剤、骨粗しょう症を伴わないリウマチ性炎症
・ケレステン：ステロイド系抗炎症剤、骨粗しょう症を伴わないリウマチ性炎症
・ベータメタゾン：ステロイド系抗炎症剤＋ムコポリサッカリダーゼ、関節症、慢性関節病、腱炎、側関節病、デュプイトラン拘縮及びペーロニー病、ケロイド
・ペルキュタルジン（percutalgine）：ステロイド系抗炎症剤、骨粗しょう症を伴わないリウマチ性炎症、関節炎、関節病
・ケトプロフェン：非ステロイド系抗炎症剤
・ムコポリサッカリダーゼに付随するプロフェニド（profenid）５０：関節症、側関節病
・ジクロフェナク７：非ステロイド系抗炎症剤
・ムコポリサッカリダーゼに付随するボルタレン：非関節性疾患  
・フェルニブタゾン：非ステロイド系抗炎症剤
・ブタゾリジン：リウマチ性炎症、心的外傷後炎症
・リチアのサリチル酸塩１％：抗尿酸血症、通風性及びパラ通風性疾患
・ムコポリサッカリダーゼ：拡散剤、セルライト、浮腫、血腫、抗炎症剤の浸透のためのベース
・イドロシルアミド（idrocilamide）：筋弛緩剤
・スリラン（srilane）：抗炎症剤
・ブリリテイン（brolitene）：筋拘縮、痛み、腱炎
・チオムス（thiomucase）：抗浮腫、消散剤、リンパ浮腫、セルライト
・ユークリダン（euclidan）：抗炎症剤、血管拡張剤、神経性ジストロフィ（algoneurodystrophy）、末梢循環
・ニカメテート（nicametate） ２アンプ：抗炎症剤、神経性ジストロフィ（algoneurodystrophy）
・アルファムカーゼ：抗浮腫、神経性ジストロフィ（algoneurodystrophy）
・塩化カルシウム：線維素溶解（fibrolytic）、傷
・塩化ナトリウム：線維素溶解（fibrolytic）、傷
・トリヨードチロ酢酸（triiodothyroacetic acid）：脂肪分解、セルライト
【手続補正５】
【補正対象書類名】明細書
【補正対象項目名】００４７
【補正方法】変更
【補正の内容】
【００４７】
例えば、アノード電極５ｂと協働するように構成された導電性領域２では、有効成分は疾患、症状、又はこれらの有効成分が利用され得る徴候を示す以下のリストの中から選択される：
・カバイン（carbaine）５％：局所麻酔、痛覚過敏
・クロルプロエタジン：筋弛緩剤
・ニューリプレジ（neuriplege）：拘縮、痙攣体質、筋肉痛
・テタニール（tetanil）：筋弛緩剤、痙攣体質
・アルファキモトリプシン（alphachymotrypsine）：拡散剤、抗浮腫、挫傷、捻挫、浮腫
・アルファキュタニ（alphacutanee）：拡散剤、抗浮腫、挫傷、浮腫
・凍結乾燥甲状腺：脂肪分解、脂質異化剤、肥満
・トリヨードチロ酢酸（triiodothyroacetic acid）：脂肪分解、肥満
・インフラニル（inflanil）：抗リウマチ剤、関節炎、腱炎、関節疾患
・有機シリカ：結合組織再生剤、ストレッチマーク、局所性セルライト
・リチアのサリチル酸塩：抗リウマチ剤、小関節の関節症
・アドレナリン：血管収縮剤、抹消循環
・アコニチン硝酸塩：抗神経痛、鎮痛剤、神経痛、三叉神経の神経痛、ヘルペス後神経痛
・ペルキュタルジン（percutalgine）：鎮痛剤、腰痛、靭帯痛、腱痛
・アピシン（apisin）、アピキュア（apicure、ハチ毒）：肋間神経痛
・硝酸銀：関節抗リウマチ剤
・アセチルコリン０．５％
・ビタミンＢ
・塩化カルシウム：鎮静剤、再石灰化、痛覚過敏、痙性片麻痺、骨粗しょう症、痙攣体質、神経性ジストロフィ、関節の硬直
・塩化亜鉛：防腐剤、慢性結膜炎、婦人科、ＥＮＴ
・硫化亜鉛：婦人科、ＥＮＴ
・塩化マグネシウム：鎮静剤、鎮痙性、痙攣体質、いぼ
・硫化マグネシウム：痙攣体質、いぼ
・塩化アンモニウム：線維素溶解、関節の硬直
・フラキシジル（flaxedyl）：合成クラーレ状薬剤、筋弛緩剤、拘縮、斜頸、背痛、腰痛、リウマチ型筋拘縮、痙攣体質
・ドリル（doryl）０．１％
・ヒスタミンクロリデレート（histamine chlorydrate）：腰痛、痛覚過敏、坐骨神経痛
・ヒスタミンビクロリデレート（histamine bichlorydrate）：誘導薬、血管拡張剤、関節疾患
・エピネフリンリン酸塩（epinephrine phosphate）：血管収縮剤、ぜんそく、末梢循環
・硫酸銅：防腐剤、殺菌、真菌症
・コカイン
・プロカイン
・ノボカイン：局所麻酔、鎮痛剤、三叉神経の神経痛、帯状疱疹
・クエン酸カリウム：痙攣体質、いぼ
・ペルカイン（percaine）２〜５％
・プリスコール５〜１０％
・ラドン１０００００ＥＭ
・コルチコステロイド１％：関節リウマチ、（celestene、betnesol）、通風
・ヒドロコルチゾン１％：関節リウマチ、通風
・ヒスタコン（histacone）
・ペニシリン
・臭素
・ビオミシン（biomycine）
・ブタゾリン（butazoline）
・ストレプトミライン（streptomyline）